(57)【要約】【課題】均一な光強度で照明し得る照明装置及びその照明装置を用いた良好な表示特性を有する液晶表示装置を提供する。【解決手段】光を発する光源１２ａ、１２ｂと、光源から導入される光を反射側に形成された複数の光反射部２０により反射し、反射側と対向する出射側から光を線状に出射する線状導光体１４とを有する照明装置１０であって、複数の光反射部の面が、視認する者の目に光が収束されるような角度で、それぞれ傾斜している。【選択図】図１
2011029206.tif 000002
【特許請求の範囲】
【請求項１】
光を発する光源と、前記光源から導入される光を反射側に形成された複数の光反射部により反射し、前記反射側と対向する出射側から光を線状に出射する線状導光体とを有する照明装置であって、
前記複数の光反射部の面が、視認する者の目に光が収束されるような角度で、それぞれ傾斜している
ことを特徴とする照明装置。
【請求項２】
光を発する光源と、前記光源から導入される光を反射側に形成された複数の光反射部により反射し、前記反射側と対向する出射側から光を線状に出射する線状導光体とを有する照明装置であって、
前記複数の光反射部の面が、前記線状導光体の長手方向に対してほぼ垂直な方向に光が出射されるような角度で、それぞれ傾斜している
ことを特徴とする照明装置。
【請求項３】
請求項１又は２記載の照明装置において、
前記複数の光反射部は、一方の面が前記光反射部の面である、互いに等しい形状のＶ字形の溝である
ことを特徴とする照明装置。
【請求項４】
請求項１又は２記載の照明装置において、
前記線状導光体は長手方向に複数の領域に区分されており、
区分された前記領域内では、前記複数の光反射部の面が、等しい角度で傾斜している
ことを特徴とする照明装置。
【請求項５】
請求項４記載の照明装置において、
前記線状導光体の中心を含む領域内と、前記線状導光体の端部の近傍の領域内とで、前記複数の光反射部の面が、互いに等しい角度で傾斜している
ことを特徴とする照明装置。
【請求項６】
請求項４記載の照明装置において、
前記線状導光体の長手方向に区分された第１の領域では、前記光反射部の面が第１の角度で等しく傾斜しており、
前記第１の領域と隣接する第２の領域では、前記光反射部の面が前記第１の角度と異なる第２の角度で等しく傾斜しており、
前記第１の領域と前記第２の領域との境界の近傍の領域では、その面が前記第１の角度で傾斜している前記光反射部と、その面が前記第２の角度で傾斜している前記光反射部とが混在している
ことを特徴とする照明装置。
【請求項７】
請求項１又は２記載の照明装置において、
前記線状導光体は長手方向と垂直な方向に複数の領域に区分されており、
区分された前記領域内では、前記複数の光反射部の面が、等しい角度で傾斜している
ことを特徴とする照明装置。
【請求項８】
請求項１又は２記載の照明装置において、
前記光反射部は、前記線状導光体の長手方向に対して斜めに延在している
ことを特徴とする照明装置。
【請求項９】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、
前記複数の光反射部の面が、視認する者の目に光が収束されるような角度で、それぞれ傾斜している
ことを特徴とする液晶表示装置。
【請求項１０】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、
前記複数の光反射部の面が、前記線状導光体の長手方向に対してほぼ垂直な方向に光が出射されるような角度で、それぞれ傾斜している
ことを特徴とする液晶表示装置。
【発明の詳細な説明】
【技術分野】
【０００１】
本発明は、照明装置及び液晶表示装置に係り、特に、均一な光強度で照明しうる照明装置及びその照明装置を用いた液晶表示装置に関する。
【背景技術】
【０００２】
液晶パネルは、薄型かつ軽量であるため、携帯型の情報端末の表示画面として広く用いられている。
【０００３】
液晶パネルには、透過型液晶パネルと反射型液晶パネルとがある。
【０００４】
図２６（ａ）は、透過型液晶パネルを示す断面図である。図２６（ａ）に示すように、ガラス基板２１０とガラス基板２１２との間には、偏向子２１４が挟み込まれている。ガラス基板２１２上には、バスライン２１６等が形成されている。ガラス基板２１２とガラス基板２１８との間には、液晶２２０が封入されている。ガラス基板２１８とガラス基板２２２との間には、カラーフィルタ２２４ａ、２２４ｂ、２２４ｃが挟み込まれている。ガラス基板２２２とガラス基板２２６との間には、偏向子２２８が挟み込まれている。
【０００５】
図２６（ｂ）は、反射型液晶パネルを示す断面図である。図２６（ｂ）に示すように、反射型液晶パネルでは、ガラス基板２１０とガラス基板２１２との間には、ミラー２３０が挟み込まれている。ミラー２３０は、反射型液晶パネルの上面から導入される光を、反射するためのものである。
【０００６】
液晶自体は発光しないため、液晶パネルに表示される情報を視認するためには、照明が必要である。
【０００７】
透過型液晶パネルでは、照明装置は、液晶パネルの下面側に設けられる。
【０００８】
反射型液晶パネルでは、太陽光や室内灯の照明が存在する環境下で表示画面を視認する際には、照明装置を必ずしも設けることを要しない。しかし、照明の存在しない環境下での視認をも可能とするためには、照明装置を設けることが必要となる。反射型液晶パネルにおいては、照明装置は、液晶パネルの上面側に設けられる。
【０００９】
図２７は、提案されている照明装置を示す斜視図である。図２７に示すように、提案されている照明装置１１０は、光を発するＬＥＤ１１２ａ、１１２ｂと、ＬＥＤ１１２ａ、１１２ｂからの光を線状の光に変換して出射する線状導光体１１４と、線状導光体１１４から出射される線状の光を平面状の光に変換して出射する面状導光体１１６とを有している。線状導光体１１４の背面側、即ち、反射側には、複数の光反射部１２０がストライプ状に形成されている。また、線状導光体１１４の反射側には、反射コート膜１１８が形成されている。
【００１０】
図３０は、提案されている照明装置の線状導光体を示す斜視図及び平面図である。図３０に示すように、ＬＥＤ１１２ａ、１１２ｂから出射される光は、線状導光体１１４の背面側、即ち反射側に形成された光反射部１２０の面で反射され、線状導光体１１４の前面側、即ち出射側から出射される。線状導光体１１４の出射側から線状に出射される光は、面状導光体１１６により平面状の光に変換され、面状導光体１１６の平面から出射される。
【００１１】
このような提案されている照明装置では、液晶パネルを平面状に照明することができる。
【００１２】
なお、このような照明装置は、例えば、特開平１０−２６０４０５号公報に記載されている。
【発明の概要】
【発明が解決しようとする課題】
【００１３】
しかしながら、上述した提案されている照明装置は、以下に示すように、均一な強度で液晶パネルを照明することができなかった。
【００１４】
図３１は、人間の目と表示画面との関係を示す概略図である。画面サイズ２インチの液晶パネル１０８の表示画面を３５０ｍｍ離間した位置から視認する場合、表示画面の中心からは０度の光が目に到達し、表示画面の両端からは±３度の光が目に到達する。
【００１５】
図３２は、提案されている照明装置の線状導光体から出射される光の強度分布を示すグラフである。横軸は、線状導光体１１４の中心からの位置を示しており、縦軸は光強度を示している。ここでは、線状導光体１１４の中心から出射される光については０度の光が目に到達し、線状導光体１１４の端部から出射される光については±３度の光が目に到達するものとして、実際に人間の目に到達し得る光の強度分布が求められている。
【００１６】
図３２に示すように、提案されている照明装置では、線状導光体１１４から出射される光の強度分布が均一ではなく、光強度の強い部分と弱い部分とが存在していた。線状導光体１１４から出射される光の強度分布は、面状導光体１１６から出射される光の強度分布に反映される。このため、面状導光体１１６から出射される光の強度分布も均一にはならず、面内において光強度の強い部分と弱い部分とが存在していた。従って、提案されている照明装置を用いて液晶表示装置を構成した場合には、良好な表示特性を得ることはできなかった。
【００１７】
本発明の目的は、均一な光強度で照明し得る照明装置及びその照明装置を用いた良好な表示特性を有する液晶表示装置を提供することにある。
【課題を解決するための手段】
【００１８】
上記目的は、光を発する光源と、前記光源から導入される光を反射側に形成された複数の光反射部により反射し、前記反射側と対向する出射側から光を線状に出射する線状導光体とを有する照明装置であって、前記複数の光反射部の面が、視認する者の目に光が収束されるような角度で、それぞれ傾斜していることを特徴とする照明装置により達成される。
【００１９】
また、上記目的は、光を発する光源と、前記光源から導入される光を反射側に形成された複数の光反射部により反射し、前記反射側と対向する出射側から光を線状に出射する線状導光体とを有する照明装置であって、前記複数の光反射部の面が、前記線状導光体の長手方向に対してほぼ垂直な方向に光が出射されるような角度で、それぞれ傾斜していることを特徴とする照明装置により達成される。
【００２０】
また、上記目的は、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、前記複数の光反射部の面が、視認する者の目に光が収束されるような角度で、それぞれ傾斜していることを特徴とする液晶表示装置により達成される。
【００２１】
また、上記目的は、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、前記複数の光反射部の面が、前記線状導光体の長手方向に対してほぼ垂直な方向に光が出射されるような角度で、それぞれ傾斜していることを特徴とする液晶表示装置により達成される。
【発明の効果】
【００２２】
以上の通り、本発明によれば、線状導光体から出射される光の出射角が所望の角度となるように光反射部の角度が設定されているため、均一な光強度で照明しうる照明装置を提供することができる。そして、このような照明装置を用いて、表示特性の良好な液晶表示装置を提供することができる。
【図面の簡単な説明】
【００２３】
【図１】本発明の第１実施形態による照明装置を示す斜視図及び平面図である。
【図２】本発明の第１実施形態による照明装置を示す平面図である。
【図３】人間の目と表示画面との関係を示す概略図である。
【図４】空気中における屈折率等を考慮した場合の平面図である。
【図５】本発明の第１実施形態による照明装置の光反射部の面の傾斜角の例を示すグラフである。
【図６】本発明の第１実施形態による照明装置の光強度分布を示すグラフである。
【図７】本発明の第２実施形態による照明装置を示す平面図である。
【図８】人間の目と表示画面との関係を示す概念図である。
【図９】本発明の第２実施形態による照明装置の光反射部の面の傾斜角の例を示すグラフである。
【図１０】本発明の第３実施形態による照明装置を示す平面図である。
【図１１】本発明の第３実施形態による照明装置の光反射部の面の傾斜角の例を示すグラフである。
【図１２】本発明の第４実施形態による照明装置を示す平面図である。
【図１３】本発明の第４実施形態による照明装置の光反射部の面の傾斜角の例を示すグラフである。
【図１４】本発明の第４実施形態による照明装置の光強度分布を示すグラフである。
【図１５】本発明の第５実施形態による照明装置を示す平面図である。
【図１６】本発明の第５実施形態による照明装置の光反射部の面の傾斜角の例を示すグラフである。
【図１７】本発明の第５実施形態による照明装置の光強度分布を示すグラフである。
【図１８】本発明の第５実施形態の変形例による照明装置を示す平面図である。
【図１９】本発明の第６実施形態による照明装置を示す平面図である。
【図２０】本発明の第７実施形態による照明装置を示す斜視図である。
【図２１】本発明の第８実施形態による照明装置を示す平面図である。
【図２２】本発明の第９実施形態による照明装置を示す平面図である。
【図２３】本発明の第１０実施形態による照明装置を示す斜視図である。
【図２４】本発明の第１１実施形態による照明装置を示す斜視図である。
【図２５】本発明の第１１実施形態による照明装置の光反射部の面の傾斜角の例を示すグラフである。
【図２６】本発明の第１２実施形態による液晶表示装置を示す斜視図である。
【図２７】本発明の第１３実施形態による液晶表示装置を示す斜視図である。
【図２８】透過型液晶パネル及び反射型液晶パネルを示す断面図である。
【図２９】提案されている照明装置を示す斜視図である。
【図３０】提案されている照明装置の線状導光体を示す斜視図及び平面図である。
【図３１】人間の目と表示画面との関係を示す概略図である。
【図３２】提案されている照明装置の線状導光体から出射される光の強度分布を示すグラフである。
【図３３】提案されている照明装置を示す平面図である。
【発明を実施するための形態】
【００２４】
［本発明の原理］
本発明の第１実施形態による照明装置を説明するに先だって、本発明の原理について説明する。
【００２５】
本願発明者らは、提案されている照明装置が均一な光強度で液晶パネルを照明することができない理由について鋭意検討した。
【００２６】
図３３は、提案されている照明装置を示す平面図である。
【００２７】
線状導光体１１４の中心である位置Ａに形成された光反射部１２０の面について、出射角を０度として逆光線追跡により光線の軌道を追跡してみたところ、光線の軌道はＬＥＤ１１２ａのほぼ中心に到達した。
【００２８】
また、線状導光体１１４の左端近傍である位置Ｃに形成された光反射部１２０の面について、出射角を例えば３度として逆光線追跡により光の軌道を追跡してみたところ、軌道はＬＥＤ１１２ａのほぼ中心に到達した。なお、ここで出射角を３度として逆光線追跡を行ったのは、表示画面から３５０ｍｍ離間した位置から２インチの液晶パネルを視認する場合、人間の目に到達する光は、出射角がほぼ３度の光であるためである。
【００２９】
また、位置Ａと位置Ｃとの中間位置である位置Ｂに形成された光反射部の面について、出射角を例えば１．５度として逆光線追跡により光の軌道を追跡してみたところ、軌道はＬＥＤ１１２ａの中心からずれた位置に到達した。
【００３０】
一方、位置Ａから出射される出射角約０度の光の強度について検討してみたところ、出射される光の強度は強かった。また、位置Ｃから出射される出射角約３度の光の強度について検討してみたところ、出射される光の強度は強かった。また、位置Ｂから出射される出射角約１．５度の光の強度について検討してみたところ、出射される光の強度は弱かった。
【００３１】
以上のことから、人間の目に光が到達し得る角度を出射角として逆光線追跡により求められる光の軌道が、ＬＥＤの中心近傍に到達する場合には、人間の目に到達し得る光の強度は強く、人間の目に光が到達し得る角度を出射角として逆光線追跡により求められる光の軌道がＬＥＤの中心からずれる場合には、人間の目に到達し得る光の強度は弱いことが分かった。
【００３２】
このような検討結果から、本願発明者らは、人間の目に光が到達し得る角度を出射角として逆光線追跡により求められる光の軌道が、ＬＥＤの中心近傍に到達するように光反射部の面の傾斜角をそれぞれ設定すれば、視認する人間の目に光が収束され、均一な光強度分布が得られることに想到した。
【００３３】
［第１実施形態］
本発明の第１実施形態による照明装置を図１乃至図６を用いて説明する。図１は、本実施形態による照明装置を示す斜視図及び平面図である。図１（ａ）は、本実施形態による照明装置を示す斜視図である。図１（ｂ）は、本実施形態による照明装置を示す平面図である。図２は、本実施形態による照明装置を示す平面図である。図２（ａ）は、本実施形態による照明装置の構成を示す平面図である。図２（ｂ）は、本実施形態による照明装置の光反射部の傾斜角を示す図である。図３は、人間の目と表示画面との関係を示す概略図である。図４は、空気中における屈折率等を考慮した場合の平面図である。図５は、本実施形態による照明装置の光反射部の面の傾斜角の例を示すグラフである。図６は、本実施形態による照明装置の光強度分布を示すグラフである。
【００３４】
図１に示すように、本実施形態による照明装置１０は、光を発するＬＥＤ１２ａ、１２ｂと、ＬＥＤ１２ａ、１２ｂから導入される光を線状の光に変換して出射する線状導光体１４と、線状導光体１４と光学的に結合され、線状の光を面状の光に変換して出射する面状導光体１６とを有している。線状導光体１４の反射側には、反射コート膜１８が形成されている。
【００３５】
ＬＥＤ１２ａ、１２ｂは、線状導光体１４の両端に設けられている。ＬＥＤ１２ａ、１２ｂと線状導光体１４との間の距離ΔＬ（図２参照）は、例えば０ｍｍに設定されている。
【００３６】
線状導光体１４は、全体として四角柱状に形成されている。線状導光体１４の材料としては、例えばガラスやプラスチックが用いられている。線状導光体１４の屈折率Ｎgは、例えば１．５１となっている。線状導光体１４の厚さｔは、例えば３ｍｍに設定されている。線状導光体１４の長さＬは、例えば２インチの液晶表示装置に用いる照明装置の場合には、例えば３７ｍｍに設定されている。２インチの液晶表示装置の表示画面の幅は３５ｍｍ程度であるが、線状導光体１４の長さＬを３７ｍｍに設定すれば、２ｍｍのマージンが確保される。
【００３７】
線状導光体１４の反射側には、複数の光反射部２０がストライプ状に形成されている。光反射部２０は、ＬＥＤ１２ａ、１２ｂから導入される光を反射し、線状導光体１４の出射側から光を出射するためのものである。光反射部２０は、例えば０．２３ｍｍのピッチで、例えば１５０個形成されている。
【００３８】
図２に示すように、光反射部２０ａ、２０ｂの面の傾斜角θ（ｎ）は、出射位置に応じて所望の出射角θOUT（ｎ）で光が出射されるように設定される。なお、光反射部２０ａ、２０ｂは、線状導光体１４の反射側にそれぞれ多数形成されているが、図２においては、省略されている。
【００３９】
図３に示すように、３５０ｍｍ離れた位置から２インチの液晶パネルを視認する場合、人間の目には、表示画面の中心からは０度の光が入射され、画面の両端からは±２．８度の光が入射される。
【００４０】
線状導光体１４から出射される光の出射角θOUT（ｎ）は、面状導光体１６から出射される光の出射角に反映される。このため、線状導光体１４の中心から出射される光については、出射角θOUT（ｎ）が例えば０度となるように光反射部２０の面の傾斜角θ（ｎ）を設定し、線状導光体１４の中心と端部との間の位置から出射される光については、出射角θOUT（ｎ）がそれぞれの出射位置に応じた角度となるように、光反射部２０の面の傾斜角θ（ｎ）をそれぞれ設定し、線状導光体１４の端部近傍から出射される光については、出射角θOUT（ｎ）が例えば±２．８度となるように光反射部２０の面の傾斜角θ（ｎ）を設定すれば、極めて良好な表示特性が得られる。
【００４１】
線状導光体１４から出射される光の出射角θOUT（ｎ）を、出射位置に応じた角度に設定するためには、以下のような式に基づいて傾斜角θ（ｎ）を求めればよい。
【００４２】
図２に示すように、光反射部２０ａについては、線状導光体１４の出射側の面で全反射された光が、光反射部２０ａにより全反射されて、線状導光体１４の出射側から出射位置に応じた出射角θOUT（ｎ）で出射されるように、光反射部２０ａの面の傾斜角θ（ｎ）を設定する。
【００４３】
この場合には、以下のような式が成立する。
【００４４】
【数１】
2011029206.tif 000003
【００４５】
ここで、ｎは、ｎ番目の光反射部に関するものであることを意味する。また、Ｘ（ｎ）は、線状導光体１４の端面からｎ番目の光反射部までの距離である。また、θOUT（ｎ）は、ｎ番目の光反射部により反射された光の出射角である。
【００４６】
式（１）を変形すると、光反射部２０ａの面の傾斜角θ（ｎ）は、以下のような式で表される。
【００４７】
【数２】
2011029206.tif 000004
【００４８】
光反射部２０ｂについては、ＬＥＤ１２ａから直接光反射部２０ｂに入射される光が、光反射部２０ｂの面で全反射されて、線状導光体１４の出射側から出射位置に応じた出射角θOUT（ｎ）で出射されるように、光反射部２０ｂの面の傾斜角θ（ｎ）を設定する。
【００４９】
この場合には、以下のような式が成立する。
【００５０】
【数３】
2011029206.tif 000005
【００５１】
式（３）を変形すると、光反射部２０ｂの面の傾斜角θ（ｎ）は、以下のような式で表される。
【００５２】
【数４】
2011029206.tif 000006
【００５３】
なお、図２（ｂ）に示すように、光反射部の紙面左側の面の傾斜角θL（ｎ）については、紙面左側に設けられたＬＥＤ１２ａから導入される光が所望の出射角θOUT（ｎ）で出射されるように設定する。一方、光反射部の紙面右側の面の傾斜角θR（ｎ）については、紙面右側に設けられたＬＥＤ１２ｂから導入される光が所望の出射角θOUT（ｎ）で出射されるように設定する。
【００５４】
また、厳密には、図４に示すように、ＬＥＤ１２ａ、１２ｂと線状導光体１４との間の距離ΔＬが０ｍｍでない場合には、空気中の屈折率Ｎaと線状導光体の屈折率Ｎgとで屈折率が異なるため、光路のずれが生じる。しかし、かかる要因による光路のずれは、光反射部２０の面の傾斜角θ（ｎ）を求める上では、無視することが可能なものである。このため、ここでは、計算式を簡単にすべく、かかる要因の影響については無視して計算式を立てている。
【００５５】
また、厳密には、図４に示すように、光はＬＥＤ１２ａ、１２ｂの中心近傍から面状に出射される。しかし、光反射部２０の面の傾斜角θ（ｎ）を求める上では、ＬＥＤ１２ａ、１２ｂの中心点から光が出射されるものとして計算式を立てても、誤差は無視し得る程小さい。このため、ここでは、計算式を簡単にすべく、ＬＥＤ１２ａ、１２ｂの中心点から光が出射されるものとして、計算式を立てている。
【００５６】
次に、本実施形態の光反射部２０の面の傾斜角θ（ｎ）の具体的な設定値の例について図５を用いて説明する。図５は、上記の式に基づいて求められた光反射部の面の傾斜角θ（ｎ）の例を示すグラフである。横軸は、線状導光体１４の端面から光反射部２０までの距離Ｘ（ｎ）を示しており、縦軸は、光反射部２０の面の傾斜角θ（ｎ）を示している。
【００５７】
ここでは、画面サイズを２インチ、表示画面の幅を３５ｍｍ、光反射部２０の数を１５０個、光反射部２０のピッチを０．２３ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【００５８】
光反射部２０の面の傾斜角θ（ｎ）を図５のように設定すると、図６のような光強度分布が得られる。図６は、本実施形態による照明装置の光強度分布を示すグラフである。横軸は、線状導光体における位置を示しており、縦軸は、光強度を示している。ここでは、線状導光体１４の中心から出射される光については０度の光が目に到達し、線状導光体１４の端部から出射される光については±２．８度の光が目に到達するものとして、実際に人間の目に到達し得る光の強度分布が求められている。
【００５９】
図６から分かるように、本実施形態による照明装置では、ほぼ均一な光強度分布が得られている。
【００６０】
このように本実施形態による照明装置は、線状導光体１４から出射される光の出射位置に応じて、所望の出射角θOUT（ｎ）で光が出射されるように、光反射部１８の面の傾斜角θ（ｎ）が設定されていることに主な特徴がある。
【００６１】
図２９に示す提案されている照明装置では、光反射部の面がいずれも等しい傾斜角α（図３１参照）に設定されていたため、出射位置に応じて所望の出射角で光を出射することはできなかった。このため、提案されている照明装置では、視認する人間の目に到達し得る光の強度分布を、均一化することができなかった。
【００６２】
これに対し、本実施形態では、線状導光体１４から出射される光の出射位置に応じて、所望の出射角θOUT（ｎ）で光が出射されるように、光反射部１８の面の傾斜角θ（ｎ）が設定されているため、視認する人間の目に光を収束することができる。このため本実施形態によれば、人間の目に到達し得る光の強度分布を均一化することができる。従って、本実施形態によれば、良好な表示特性を実現することができる。
【００６３】
［第２実施形態］
本発明の第２実施形態による照明装置を図７乃至図９を用いて説明する。図７は、本実施形態による照明装置を示す平面図である。図８は、人間の目と表示画面との関係を示す概念図である。図９は、本実施形態による照明装置の光反射部の面の傾斜角の例を示すグラフである。図１乃至図６に示す第１実施形態による照明装置と同一の構成要素には、同一の符号を付して説明を省略または簡潔にする。
【００６４】
本実施形態による照明装置は、線状導光体１４から出射される光の出射角θOUT（ｎ）を０度、即ち、線状導光体１４の長手方向に対して垂直な方向に光が出射されるように、光反射部２０の面の傾斜角θ（ｎ）がそれぞれ設定されていることに主な特徴がある。
【００６５】
第１実施形態による照明装置では、出射位置に応じて、出射角θOUT（ｎ）が所望の角度となるように、光反射部２０の面の傾斜角θ（ｎ）をそれぞれ設定していたが、表示画面を視認する人間の目の位置は、必ずしも面状導光体１６の法線方向と一致するとは限らない。一方、出射角θOUT（ｎ）を一律に０度に設定したとしても、表示画面から３５０ｍｍ離間した人間の目に達するまでに、光はある程度広がるため、実際には、第１実施形態と同様の光強度分布が得られる。また、出射角θOUT（ｎ）を一律に設定すれば、光反射部２０の面の傾斜角θ（ｎ）を求める際の計算を容易化し得る。
【００６６】
そこで、本実施形態では、出射角θOUT（ｎ）を一律に０度に設定している。
【００６７】
本実施形態では出射角θOUT（ｎ）を０度に設定するため、式（２）、式（４）にθOUT（ｎ）＝０度を代入すればよい。
【００６８】
式（２）にθOUT（ｎ）＝０度を代入すると、光反射部２０ａの面の傾斜角θ（ｎ）は、以下のような式で表される。
【００６９】
【数５】
2011029206.tif 000007
【００７０】
また、式（４）にθOUT（ｎ）＝０度を代入すると、光反射部２０ｂの面の傾斜角θ（ｎ）は、以下のような式で表される。
【００７１】
【数６】
2011029206.tif 000008
【００７２】
次に、本実施形態による照明装置の光反射部の面の傾斜角θ（ｎ）の設定値の例について図９を用いて説明する。図９は、上記の式に基づいて求められた光反射部の面の傾斜角θ（ｎ）の例を示すグラフである。横軸は、線状導光体１４の端面から光反射部２０ａ、２０ｂまでの距離を示しており、縦軸は、光反射部２０ａ、２０ｂの面の傾斜角θ（ｎ）を示している。
【００７３】
なお、本実施形態でも、第１実施形態と同様に、画面サイズを２インチ、表示画面の幅を３５ｍｍ、光反射部２０の数を１５０個、光反射部２０のピッチを０．２３ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【００７４】
光反射部２０ａ、２０ｂの面の傾斜角θ（ｎ）を図９のように設定すると、線状導光体１４から出射される光の出射角θOUT（ｎ）はいずれも０度となり、第１実施形態とほぼ同様に均一な光強度分布が得られる。従って、本実施形態によれば、第１実施形態と同様に、良好な表示特性を実現することができる。
【００７５】
［第３実施形態］
本発明の第３実施形態による照明装置を図１０及び図１１を用いて説明する。図１０は、本実施形態による照明装置を示す平面図である。図１１は、本実施形態による照明装置の光反射部の面の傾斜角の例を示すグラフである。図１乃至図９に示す第１又は第２実施形態による照明装置と同一の構成要素には、同一の符号を付して説明を省略または簡潔にする。
【００７６】
本実施形態による照明装置は、いずれの光反射部２０ｃについても、ＬＥＤ１２ａ、１２ｂから直接光反射部２０に入射される光が、光反射部２０ｃで全反射されて、線状導光体１４の出射側から出射されるように、光反射部２０ｃの面の傾斜角θ（ｎ）が設定されていることに主な特徴がある。
【００７７】
第１及び第２実施形態による照明装置では、線状導光体１４の出射側の面で全反射された光を更に全反射するように傾斜角θ（ｎ）が設定された光反射部２０ａと、ＬＥＤ１２ａ、１２ｂから直接入射される光を全反射するように傾斜角θ（ｎ）が設定された光反射部２０ｂとが混在していた。
【００７８】
これに対し、本実施形態では、図１０に示すように、いずれの光反射部２０ｃについても、ＬＥＤ１２ａ、１２ｂから直接入射される光を全反射するように、光反射部２０ｃの面の傾斜角θ（ｎ）が設定されている。なお、光反射部２０ｃは、線状導光体１４の反射側に多数形成されているが、図１０では省略されている。
【００７９】
この場合には、光反射部２０ｃの面の傾斜角θ（ｎ）は、上述した式（４）又は式（６）に基づいて設定すればよい。
【００８０】
次に、本実施形態による照明装置の光反射部の面の傾斜角θ（ｎ）の設定値の例について図１１を用いて説明する。図１１は、上記の式に基づいて求められた光反射部の面の傾斜角θ（ｎ）の例を示すグラフである。横軸は、線状導光体１４の端面から光反射部２０ｃまでの距離Ｘ（ｎ）を示しており、縦軸は、光反射部２０ｃの面の傾斜角θ（ｎ）を示している。
【００８１】
なお、本実施形態でも、第１実施形態と同様に、画面サイズを２インチ、表示画面の幅を３５ｍｍ、光反射部２０の数を１５０個、光反射部２０のピッチを０．２３ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【００８２】
このように光反射部２０ｃの面の傾斜角θ（ｎ）を設定した場合であっても、線状導光体１４から出射される光の出射角θOUTはいずれも０度となり、第１及び第２実施形態とほぼ同様に均一な光強度分布が得られる。従って、本実施形態によれば、第１及び第２実施形態と同様に、良好な表示特性を実現することができる。
【００８３】
［第４実施形態］
本発明の第４実施形態による照明装置を図１２乃至図１４を用いて説明する。図１２は、本実施形態による照明装置を示す平面図である。図１３は、本実施形態による照明装置の光反射部の面の傾斜角の例を示すグラフである。図１４は、本実施形態による照明装置の光強度分布を示すグラフである。図１乃至図１１に示す第１乃至第３実施形態による照明装置と同一の構成要素には、同一の符号を付して説明を省略または簡潔にする。
【００８４】
本実施形態による照明装置は、線状導光体１４が長手方向に複数の領域２２ａ、２２ｂ、２２ｃに区分されており、領域２２ａ、２２ｂ、２２ｃ内にそれぞれ複数形成された光反射部２０ｄ〜２０ｆの面の傾斜角が、区分された領域２２ａ、２２ｂ、２２ｃ内で等しく設定されていることに主な特徴がある。
【００８５】
なお、光反射部２０ｄ〜２０ｆは、線状導光体１４の反射側にそれぞれ多数形成されているが、図１２においては、省略されている。
【００８６】
線状導光体１４の中心を含む領域２２ｃでは、線状導光体１４の中心の位置Ｌ／２を基準として、光反射部２０ｆの面の傾斜角θ0を設定する。線状導光体１４の出射側の面で全反射された光が、光反射部２０ｆにより全反射されて、線状導光体１４の出射側から出射されるものとして、光反射部２０ｆの面の傾斜角θ0を設定すると、以下のような式が成立する。
【００８７】
【数７】
2011029206.tif 000009
【００８８】
式（７）を変形すると、光反射部２０ｆの面の傾斜角θ0は、以下のような式で表される。
【００８９】
【数８】
2011029206.tif 000010
【００９０】
また、線状導光体１４の端部の近傍の領域２２ａにおいては、線状導光体１４の端部からの距離がＬ／６の位置を基準として、光反射部２０ｄの面の傾斜角θ′0を設定する。ＬＥＤ１２ａから直接光反射部２０ｄに入射される光が、光反射部２０ｄで全反射されて、線状導光体１４の出射側から出射されるものとして、光反射部２０ｄの面の傾斜角θ′0を設定すると、以下のような式が成立する。
【００９１】
【数９】
2011029206.tif 000011
【００９２】
式（９）を変形すると、光反射部２０ｄの面の傾斜角θ′0は、以下のような式で表される。
【００９３】
【数１０】
2011029206.tif 000012
【００９４】
ここで、式（８）と式（１０）とを比較すると、ΔＬの値は極めて小さいため、ΔＬや３・ΔＬは、無視することができ、以下のような式が成立する。
【００９５】
【数１１】
2011029206.tif 000013
【００９６】
従って、線状導光体１４の端部の近傍の領域２２ａにおいても、式（８）に基づいて、光反射部２０ｄの面の傾斜角をθ0に設定すればよいこととなる。従って、本実施形態では、線状導光体１４の中心を含む領域２２ｃの光反射部２０ｆの面の傾斜角と、線状導光体１４の端部の近傍の領域２２ａの光反射部２０ｄの面の傾斜角とを、いずれも等しくθ0に設定すればよい。
【００９７】
また、領域２２ａと領域２２ｃとの間の領域２２ｂにおいては、当該領域２２ｂの中心の位置（ＸC）を基準として、光反射部２０ｅの面の傾斜角θ1を設定する。ＬＥＤ１２ａから直接光反射部２０ｅに入射される光が、光反射部２０ｅで全反射されて、線状導光体１４の出射側から出射されるものとして、光反射部２０ｅの面の傾斜角θ1を設定すると、以下のような式が成立する。
【００９８】
【数１２】
2011029206.tif 000014
【００９９】
式（１２）を変形すると、光反射部２０ｅの面の傾斜角θ1は、以下のような式で表される。
【０１００】
【数１３】
2011029206.tif 000015
【０１０１】
次に、本実施形態による照明装置の光反射部の面の傾斜角の設定値の例について図１３を用いて説明する。図１３は、上記の式に基づいて求められた光反射部の面の傾斜角θの例を示すグラフである。横軸は、線状導光体の端面から光反射部までの距離Ｘ（ｎ）を示しており、縦軸は、光反射部の面の傾斜角θを示している。
【０１０２】
なお、本実施形態でも、第１実施形態と同様に、画面サイズを２インチ、表示画面の幅を３５ｍｍ、光反射部２０の数を１５０個、光反射部２０のピッチを０．２３ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【０１０３】
このように、式（８）及び式（１３）に基づいて、光反射部２０ｄ〜２０ｆの面の傾斜角θ0、θ1を設定すると、図１３に示すような光強度分布が得られる。図１３は、本実施形態による照明装置の光強度分布の例を示すグラフである。横軸は、線状導光体１４の中心に対する位置を示しており、縦軸は、液晶表示装置から３５０ｍｍ離間した位置で液晶表示装置を視認したときの光強度を示している。
【０１０４】
本実施形態では、区分された領域２２ａ、２２ｂ、２２ｃ内では光反射部２０ｄ、２０ｅ、２０ｆの面の傾斜角θ0、θ1が一律に等しい角度に設定されているため、光反射部２０ｄ、２０ｅ、２０ｆの位置が、基準となる位置Ｌ／２、ＸC、Ｌ／６から離間するに伴って、線状導光体１４から光が出射される際の出射角が徐々に大きくなる。このため、本実施形態では、図１４に示すような光強度分布となる。
【０１０５】
図１４から分かるように、本実施形態では、第１乃至第３実施形態による照明装置ほどの光強度分布の均一化は図れないが、図２９に示す提案されている照明装置の光強度分布と比べれば、光強度分布は大幅に均一化されている。
【０１０６】
このように本実施形態による照明装置は、線状導光体１４が長手方向に複数の領域２２ａ、２２ｂ、２２ｃに区分されており、区分された領域２２ａ、２２ｂ、２２ｃ内で光反射部２０ｄ〜２０ｆの面の傾斜角が等しく設定されていることに主な特徴の一つがある。
【０１０７】
第１乃至第３実施形態のように、光反射部の面の傾斜角を、光反射部の位置に応じてそれぞれ設定する場合には、線状導光体を成型するための型等の作製コストが高くなることも考えられる。
【０１０８】
これに対し、本実施形態によれば、光反射部２０ｄ、２０ｅ、２０ｆの面の傾斜角の設定がθ0とθ1の２種類と極めて少ないため、線状導光体を成型するための型等のコストを低減することが可能となる。このように、本実施形態によれば、光強度分布を均一化し得る照明装置を簡便かつ安価に提供することができる。
【０１０９】
［第５実施形態］
本発明の第５実施形態による照明装置を図１５乃至図１７を用いて説明する。図１５は、本実施形態による照明装置を示す平面図である。図１６は、本実施形態による照明装置の光反射部の面の傾斜角の例を示すグラフである。図１７は、本実施形態による照明装置の光強度分布を示すグラフである。図１乃至図１４に示す第１乃至第４実施形態による照明装置と同一の構成要素には、同一の符号を付して説明を省略または簡潔にする。
【０１１０】
本実施形態による照明装置は、第４実施形態と比べて、線状導光体１４が長手方向により細かく区分されており、領域２２ａ、２２ｃ、２２ｄ、２２ｅ内にそれぞれ複数形成された光反射部２０ｄ、２０ｆ、２０ｇ、２０ｈの面の傾斜角が、区分された領域２２ａ、２２ｃ、２２ｄ、２２ｅ内で等しく設定されていることに主な特徴がある。
【０１１１】
なお、光反射部２０ｄ、２０ｆ、２０ｇ、２０ｈは、線状導光体１４の反射側にそれぞれ多数形成されているが、図１５においては、省略されている。
【０１１２】
領域２２ｄにおいては、領域２２ｄの中心の位置ＸC1を基準として、光反射部２０ｇの面の傾斜角θ1を設定する。ＬＥＤ１２ａから直接光反射部２０ｇに入射された光が、光反射部２０ｇの面で全反射されて、線状導光体１４の出射側から出射されるものとして、光反射部２０ｇの面の傾斜角θ1を設定すると、以下のような式が成立する。
【０１１３】
【数１４】
2011029206.tif 000016
【０１１４】
式（１４）を変形すると、光反射部２０ｇの面の傾斜角θ1は、以下のような式で表される。
【０１１５】
【数１５】
2011029206.tif 000017
【０１１６】
領域２２ｈにおいては、領域２２ｈの中心の位置ＸC2を基準として、光反射部２０ｈの面の傾斜角θ2を設定する。線状導光体１４の出射で全反射された光が、光反射部２０ｈの面で更に全反射されて、線状導光体１４の出射側から出射されるものとして、光反射部２０ｈの面の傾斜角θ2を設定すると、以下のような式が成立する。
【０１１７】
【数１６】
2011029206.tif 000018
【０１１８】
式（１６）を変形すると、光反射部２０ｈの面の傾斜角θ2は、以下のような式で表される。
【０１１９】
【数１７】
2011029206.tif 000019
【０１２０】
次に、本実施形態による照明装置の光反射部の面の傾斜角の設定値の例について図１６を用いて説明する。図１６は、上記の式に基づいて求められた光反射部の傾斜角の例を示すグラフである。横軸は、線状導光体の端面から光反射部までの距離Ｘ（ｎ）を示しており、縦軸は、光反射部の面の傾斜角を示している。
【０１２１】
なお、本実施形態でも、第１実施形態と同様に、画面サイズを２インチ、表示画面の幅を３５ｍｍ、光反射部２０の数を１５０個、光反射部２０のピッチを０．２３ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【０１２２】
本実施形態では、区分された領域２２ａ、２２ｃ、２２ｄ、２２ｅ内では、光反射部２０ｄ、２０ｆ、２０ｇ、２０ｈの面の傾斜角θ0、θ1、θ2が一律に等しく設定されているため、光反射部２０ｄ、２０ｆ、２０ｇ、２０ｈの位置が、基準となる位置Ｌ／２、ＸC1、ＸC2、Ｌ／６から離間するに伴って、線状導光体１４から光が出射される際の出射角が徐々に大きくなる。このため、本実施形態では、図１７に示すような光強度分布となる。
【０１２３】
図１７から分かるように、本実施形態では、図１４に示す第４実施形態による照明装置の光強度分布と比較して、光強度の強い部分と弱い部分との差が小さくなっている。
【０１２４】
このことから、本実施形態によれば、第４実施形態と比較して、光強度の強い部分と弱い部分との差を小さくし得ることが分かる。
【０１２５】
このように本実施形態によれば、第４実施形態による照明装置と比較して、線状導光体がより細かく長手方向に区分されているため、第４実施形態に比べて、光強度の強い部分と弱い部分との差を小さくすることができる。
【０１２６】
（変形例）
次に、本実施形態の変形例による照明装置を図１８を用いて説明する。図１８は、本変形例による照明装置を示す平面図である。
【０１２７】
本変形例による照明装置は、領域２２ｄと領域２２ｅとの境界の領域において、傾斜角がθ1の光反射部２０ｇと、傾斜角がθ2の光反射部２０ｈとが、交互に設けられていることに主な特徴がある。
【０１２８】
本変形例によれば、領域２２ｄと領域２２ｅとの境界の領域において、傾斜角がθ1の光反射部２０ｇと、傾斜角がθ2の光反射部２０ｈとが、交互に設けられているため、領域２２ｄと領域２２ｅとの境界で極端に光強度が相違するのを防止することができる。
【０１２９】
［第６実施形態］
本発明の第６実施形態による照明装置を図１９を用いて説明する。図１９は、本実施形態による照明装置を示す平面図である。図１乃至図１８に示す第１乃至第５実施形態による照明装置と同一の構成要素には、同一の符号を付して説明を省略または簡潔にする。
【０１３０】
本実施形態による照明装置は、線状導光体１４の反射側、即ち光反射部２０が形成されている側に、線状導光体１４と別個に反射手段２４が設けられていることに主な特徴がある。
【０１３１】
図１９に示すように、本実施形態では、線状導光体１４の反射側に線状導光体１４と別個に反射手段２４が設けられている。反射手段２４としては、線状導光体１４の少なくとも反射側を覆うアルミ製のホルダ等を用いることができる。
【０１３２】
第１乃至第５実施形態では、線状導光体１４の反射側に反射コート膜２０を形成することにより、線状導光体１４の反射側から光が外部に漏れるのを防止していたが、本実施形態では、線状導光体１４と別個に設けられた反射手段２４により、線状導光体１４の反射側から漏れる光が線状導光体１４内に戻されるようになっている。
【０１３３】
このように反射コート膜２０の代わりに反射手段２４を設けた場合であっても、線状導光体１４の反射側から漏れる光を線状導光体１４内に戻すことができるので、照明が全体として暗くなってしまうのを防止することができる。
【０１３４】
このように、線状導光体１４の反射側に必ずしもに反射コート膜２０を形成する必要はなく、本実施形態のように線状導光体１４と別個に反射手段２４を設けてもよい。
【０１３５】
［第７実施形態］
本発明の第７実施形態による照明装置を図２０を用いて説明する。図２０は、本実施形態による照明装置を示す斜視図である。図１乃至図１９に示す第１乃至第６実施形態による照明装置と同一の構成要素には、同一の符号を付して説明を省略または簡潔にする。
【０１３６】
本実施形態による照明装置は、線状導光体１４の長手方向に対して、光反射部２０ｊが斜めに延在していることに主な特徴がある。
【０１３７】
第１乃至第６実施形態による照明装置では、線状導光体１４の長手方向に対して、光反射部２０が垂直方向に延在していたが、本実施形態では、線状導光体１４の長手方向に対して、光反射部２０ｉが斜めに延在している。
【０１３８】
本実施形態によれば、線状導光体１４の長手方向に対して、光反射部２０ｉが斜めに延在しているため、光強度分布をより均一化することができる。
【０１３９】
［第８実施形態］
本発明の第８実施形態による照明装置を図２１を用いて説明する。図２１は、本実施形態による照明装置を示す平面図である。図１乃至図２０に示す第１乃至第７実施形態による照明装置と同一の構成要素には、同一の符号を付して説明を省略または簡潔にする。
【０１４０】
本実施形態による照明装置は、線状導光体１４ａの反射側、即ち光反射部２０が形成されている面側が、湾曲していることに主な特徴がある。
【０１４１】
第１乃至第７実施形態による照明装置では、ＬＥＤ１２ａ、１２ｂから離れた位置の光反射部２０においては、他の光反射部２０により光の入射が妨げられる場合があり得る。
【０１４２】
これに対し、本実施形態によれば、線状導光体１４ａの反射側が湾曲しているため、ＬＥＤ１２ａ、１２ｂから離れた位置の光反射部２０であっても、他の光反射部２０により妨げられることなく、光が入射される。従って、本実施形態によれば、より均一な光強度分布が得られる照明装置を提供することができる。
【０１４３】
［第９実施形態］
本発明の第９実施形態による照明装置を図２２を用いて説明する。図２２は、本実施形態による照明装置を示す平面図である。図１乃至図２１に示す第１乃至第８実施形態による照明装置と同一の構成要素には、同一の符号を付して説明を省略または簡潔にする。
【０１４４】
本実施形態による照明装置は、ＬＥＤ１２ａ、１２ｂから離間するに伴って光反射部２０の面の幅が広くなっている、即ち、ＬＥＤ１２ａ、１２ｂから離間するに伴って光反射部２０を構成する溝が深くなっていることに主な特徴がある。
【０１４５】
図２２に示すように、本実施形態による照明装置では、ＬＥＤ１２ａ、１２ｂの近傍では、光反射部２０を構成する溝の深さがｄ1に設定されており、ＬＥＤ１２ａ、１２ｂから離間するに伴って、光反射部２０を構成する溝の深さが深くなっている。そして、線状導光体１４ａの中心では、光反射部２０を構成する溝の深さがｄ1より深いｄ2に設定されている。
【０１４６】
第１乃至第７実施形態による照明装置では、ＬＥＤ１２ａ、１２ｂから離れた位置の光反射部２０においては、他の光反射部２０により光の入射が妨げられる場合があり得る。
【０１４７】
これに対し、本実施形態によれば、ＬＥＤ１２ａ、１２ｂから離間するに伴って光反射部２０の面の幅が徐々に広くなっているため、ＬＥＤ１２ａ、１２ｂから離れた位置の光反射部２０であっても、他の光反射部２０により妨げられることなく、光が入射される。
【０１４８】
［第１０実施形態］
本発明の第１０実施形態による照明装置を図２３を用いて説明する。図２３は、本実施形態による照明装置を示す斜視図である。図１乃至図２２に示す第１乃至第９実施形態による照明装置と同一の構成要素には、同一の符号を付して説明を省略または簡潔にする。
【０１４９】
本実施形態による照明装置は、線状導光体１４の反射側の領域が、上下方向、即ち、長手方向と垂直な方向に２段に区分されており、上段側の領域２２ｆでは光反射部２０ｋの傾斜角がθ0に一律に等しく設定され、下段側の領域２２ｇでは光反射部２２ｌの傾斜角がθ1に一律に等しく設定されていることに主な特徴がある。
【０１５０】
第４実施形態や第５実施形態による照明装置では、線状導光体１４が長手方向に複数の領域に区分されていたが、本実施形態では、線状導光体１４が上下方向、即ち、長手方向と垂直な方向に複数の領域に区分されている。
【０１５１】
このように線状導光体を上下方向に複数の領域に区分し、区分された領域内で光反射部の傾斜角を一律に等しく設定した場合であっても、光強度分布を均一化することができる。
【０１５２】
［第１１実施形態］
本発明の第１１実施形態による照明装置を図２４及び図２５を用いて説明する。図２４は、本実施形態による照明装置を示す斜視図である。図２５は、本実施形態による照明装置の光反射部の面の傾斜角の例を示すグラフである。図１乃至図２３に示す第１乃至第１０実施形態による照明装置と同一の構成要素には、同一の符号を付して説明を省略または簡潔にする。
【０１５３】
本実施形態による照明装置は、光反射部２０ｍ、２０ｎを構成するＶ字形の溝の形状が互いに等しくなっており、線状導光体１４の中心より紙面左側の設けられた光反射部２０ｍについては、紙面左側に設けられたＬＥＤ１２ａから導入される光が線状導光体１４の長手方向に対して垂直な方向に出射されるように、光反射部２０ｍの紙面左側の面の傾斜角θL（ｎ）が設定されており、線状導光体１４の中心より紙面右側に設けられた光反射部２０ｎについては、紙面右側に設けられたＬＥＤ１２ｂから導入される光が、線状導光体１４の長手方向に対して垂直な方向に出射されるように、光反射部２０ｎの紙面右側の面の傾斜角θR（ｎ）が設定されていることに主な特徴がある。
【０１５４】
なお、光反射部２０ｍ、２０ｎは、線状導光体１４の反射側にそれぞれ多数形成されているが、図２４においては、省略されている。
【０１５５】
図２４に示すように、線状導光体１４の中心より紙面左側に設けられた光反射部２０ｍについては、紙面左側に設けられたＬＥＤ１２ａから導入される光が、光反射部２０ｍの紙面左側の面で反射されて、線状導光体１４の長手方向に対して垂直な方向に出射されるように、光反射部２０ｍの紙面左側の面の傾斜角θL（ｎ）が設定されている。
【０１５６】
光反射部２０ｍの紙面左側の面の傾斜角θL（ｎ）は、例えば上述した式（２）又は式（４）に基づいて設定すればよい。なお、この場合、線状導光体１４の紙面左側の端面が、距離Ｘ（ｎ）の基準となる。
【０１５７】
一方、線状導光体１４の中心より紙面右側に設けられた光反射部２０ｎについては、紙面右側に設けられたＬＥＤ１２ｂから導入される光が、光反射部２０ｎの紙面右側の面で反射されて、線状導光体１４の長手方向に対して垂直な方向に出射されるように、光反射部２０ｎの紙面右側の面の傾斜角θR（ｎ）が設定されている。
【０１５８】
光反射部２０ｎの紙面右側の面の傾斜角θR（ｎ）は、例えば上述した式（２）又は式（４）に基づいて設定すればよい。なお、この場合、線状導光体１４の紙面右側の端面が、距離Ｘ（ｎ）の基準となる。
【０１５９】
光反射部２０ｍ、２０ｎを構成するＶ字形の溝の面の交角θpは、いずれも等しい角度になっている。
【０１６０】
本実施形態では、光反射部を構成するＶ字形の溝の面の交角θpがいずれも等しい角度になっているため、光反射部２０ｍの紙面右側の面の傾斜角は、１８０度から傾斜角θL（ｎ）と交角θpとを減算した角度となる。このため、ＬＥＤ１２ｂから光反射部２０ｍの紙面右側の面に導入される光は、線状導光体１４の長手方向に対して必ずしも垂直な方向に出射されるとは限らない。
【０１６１】
しかし、ＬＥＤ１２ｂから導入される光については、光反射部２０ｎの紙面右側の面により反射されて、線状導光体１４の長手方向に対して垂直な方向に出射されるため、特段の問題はない。
【０１６２】
また、本実施形態では、光反射部を構成するＶ字形の溝の面の交角θpをいずれも等しい角度に設定しているため、光反射部２０ｎの紙面左側の面の傾斜角は、１８０度から傾斜角θR（ｎ）と交角θpとを減算した角度となる。このため、ＬＥＤ１２ａから光反射部２０ｎの紙面左側の面に導入される光は、線状導光体１４の長手方向に対して必ずしも垂直な方向に出射されるとは限らない。
【０１６３】
しかし、ＬＥＤ１２ａから導入される光は、光反射部２０ｍの紙面左側の面により反射されて、線状導光体の１４の長手方向に対して垂直な方向に出射されるため、特段の問題はない。
【０１６４】
次に、本実施形態による照明装置の光反射部の面の傾斜角の設定値の例について図２５を用いて説明する。図２５は、上記の式に基づいて求められた光反射部の傾斜角の例を示すグラフである。横軸は、線状導光体の端面から光反射部までの距離Ｘ（ｎ）を示しており、縦軸は、光反射部の面の傾斜角を示している。
【０１６５】
なお、本実施形態では、画面サイズを２インチ、表示画面の幅を３５ｍｍ、光反射部２０の数を１７０個、光反射部２０のピッチを０．２１ｍｍ、線状導光体１４の厚さｔを３ｍｍ、線状導光体１４の長さＬを３７ｍｍ、ＬＥＤ１２ａ、１２ｂと線状導光体１４との間の距離ΔＬを０ｍｍ、線状導光体１４の屈折率を１．５１、視認する人間の目と表示画面との距離を３５０ｍｍとして計算した。
【０１６６】
本実施形態によれば、光反射部２０ｍ、２０ｎを構成するＶ字形の溝の形状がいずれも等しいため、線状導光体１４を成型するための型等を作製する際に用いる切削工具が一種類で足りる。本実施形態によれば、線状導光体１４を成型するための型等を低コストで作製することができるため、光強度分布を均一化し得る照明装置を安価に提供することができる。
【０１６７】
［第１２実施形態］
本発明の第１２実施形態による液晶表示装置を図２６を用いて説明する。図２６は、本実施形態による液晶表示装置を示す斜視図である。図１乃至図２５に示す第１乃至第１１実施形態による照明装置と同一の構成要素には、同一の符号を付して説明を省略または簡潔にする。
【０１６８】
本実施形態による液晶表示装置は、第１乃至第１１実施形態のいずれかによる照明装置と反射型液晶パネルとが組み合わされて構成されている。
【０１６９】
図２６に示すように、反射型液晶パネル２６上には、第１乃至第１１実施形態のいずれかによる照明装置１０が設けられている。
【０１７０】
照明装置１０の線状導光体１４から出射される光は、面状導光体１６を介して反射型液晶パネル２６に入射され、反射型液晶パネル２６に設けられたミラー（図示せず）により反射され、人間の目により視認される。本実施形態では、照明装置１０は、フロントライトとして機能する。
【０１７１】
本実施形態によれば、第１乃至第１１実施形態のいずれかによる照明装置を用いて構成されているため、反射型液晶パネルを均一な光強度で照明することができる。従って、本実施形態によれば、表示特性の良好な液晶表示装置を提供することができる。
【０１７２】
［第１３実施形態］
本発明の第１３実施形態による液晶表示装置を図２７を用いて説明する。図２７は、本実施形態による液晶表示装置を示す斜視図である。図１乃至図２６に示す第１乃至第１２実施形態による照明装置等と同一の構成要素には、同一の符号を付して説明を省略または簡潔にする。
【０１７３】
本実施形態による液晶表示装置は、第１乃至第１１実施形態のいずれかの照明装置と透過型液晶パネルとが組み合わされて構成されている。
【０１７４】
図２７に示すように、第１乃至第１１実施形態のいずれかによる照明装置１０上には、透過型液晶パネル２８が設けられている。
【０１７５】
線状導光体１４から出射される光は、面状導光体１６を介して、透過型液晶パネル２８に入射され、透過型液晶パネル２８を透過して、人間の目により視認される。
【０１７６】
このように本実施形態によれば、透過型液晶パネルを用いた場合であっても、表示特性の良好な液晶表示装置を提供することができる。
【０１７７】
［変形実施形態］
本発明は上記実施形態に限らず種々の変形が可能である。
【０１７８】
例えば、第１０実施形態では、線状導光体を上下方向、即ち、長手方向と垂直な方向に２つの領域に区分したが、更に多くの領域に区分してもよい。これにより、光強度分布をより均一化することが可能となる。但し、区分数を増加するに伴って、光反射部の角度の設定数も多くなるため、要求される光強度分布の均一性と、許容しうるコストとを総合的に考慮して、適切な区分数に設定することが望ましい。
【０１７９】
（付記１）  光を発する光源と、前記光源から導入される光を反射側に形成された複数の光反射部により反射し、前記反射側と対向する出射側から光を線状に出射する線状導光体とを有する照明装置であって、前記複数の光反射部の面が、視認する者の目に光が収束されるような角度で、それぞれ傾斜していることを特徴とする照明装置。
【０１８０】
（付記２）  光を発する光源と、前記光源から導入される光を反射側に形成された複数の光反射部により反射し、前記反射側と対向する出射側から光を線状に出射する線状導光体とを有する照明装置であって、前記複数の光反射部の面が、前記線状導光体の長手方向に対してほぼ垂直な方向に光が出射されるような角度で、それぞれ傾斜していることを特徴とする照明装置。
【０１８１】
（付記３）  付記１又は２記載の照明装置において、前記複数の光反射部は、一方の面が前記光反射部の面である、互いに等しい形状のＶ字形の溝であることを特徴とする照明装置。
【０１８２】
（付記４）  付記１又は２記載の照明装置において、前記線状導光体は長手方向に複数の領域に区分されており、区分された前記領域内では、前記複数の光反射部の面が、等しい角度で傾斜していることを特徴とする照明装置。
【０１８３】
（付記５）  付記４記載の照明装置において、前記線状導光体の中心を含む領域内と、前記線状導光体の端部の近傍の領域内とで、前記複数の光反射部の面が、互いに等しい角度で傾斜していることを特徴とする照明装置。
【０１８４】
（付記６）  付記４記載の照明装置において、前記線状導光体の長手方向に区分された第１の領域では、前記光反射部の面が第１の角度で等しく傾斜しており、前記第１の領域と隣接する第２の領域では、前記光反射部の面が前記第１の角度と異なる第２の角度で等しく傾斜しており、前記第１の領域と前記第２の領域との境界の近傍の領域では、その面が前記第１の角度で傾斜している前記光反射部と、その面が前記第２の角度で傾斜している前記光反射部とが混在していることを特徴とする照明装置。
【０１８５】
（付記７）  付記１又は２記載の照明装置において、前記線状導光体は長手方向と垂直な方向に複数の領域に区分されており、区分された前記領域内では、前記複数の光反射部の面が、等しい角度で傾斜していることを特徴とする照明装置。
【０１８６】
（付記８）  付記１又は２記載の照明装置において、前記光反射部は、前記線状導光体の長手方向に対して斜めに延在していることを特徴とする照明装置。
【０１８７】
（付記９）  付記１記載の照明装置において、前記複数の光反射部の面は、前記光源のほぼ中心から発せられる光が視認する者の目に収束されるような角度で、それぞれ傾斜していることを特徴とする照明装置。
【０１８８】
（付記１０）  付記２記載の照明装置において、前記複数の光反射部の面は、前記光源のほぼ中心から発せられる光が前記線状導光体の長手方向に対してほぼ垂直な方向に出射されるような角度で、それぞれ傾斜していることを特徴とする照明装置。
【０１８９】
（付記１１）  付記１乃至１０のいずれかに記載の照明装置において、前記線状導光体と光学的に結合され、前記線状導光体から導入される光を平面状に出射する面状導光体を更に有することを特徴とする照明装置。
【０１９０】
（付記１２）  付記１乃至１１のいずれかに記載の照明装置において、前記線状導光体は、前記反射側が湾曲していることを特徴とする照明装置。
【０１９１】
（付記１３）  付記１乃至１２のいずれかに記載の照明装置において、一の前記光反射部の面の幅と他の前記光反射部の面の幅とが互いに異なっていることを特徴とする照明装置。
【０１９２】
（付記１４）  付記１乃至１３のいずれかに記載の照明装置において、前記線状導光体の前記反射側に、反射コート膜が更に形成されていることを特徴とする照明装置。
【０１９３】
（付記１５）  付記１乃至１３のいずれかに記載の照明装置において、前記線状導光体の前記反射側に、前記線状導光体と別個に反射手段が更に設けられていることを特徴とする照明装置。
【０１９４】
（付記１６）  付記１乃至１５のいずれかに記載の照明装置において、前記線状導光体は、ほぼ四角柱状に形成されていることを特徴とする照明装置。
【０１９５】
（付記１７）  光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、前記複数の光反射部の面が、視認する者の目に光が収束されるような角度で、それぞれ傾斜していることを特徴とする液晶表示装置。
【０１９６】
（付記１８）  光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置と、前記照明装置により照明される液晶パネルとを有する液晶表示装置であって、前記複数の光反射部の面が、前記線状導光体の長手方向に対してほぼ垂直な方向に光が出射されるような角度で、それぞれ傾斜していることを特徴とする液晶表示装置。
【符号の説明】
【０１９７】
１０…照明装置
１２ａ、１２ｂ…ＬＥＤ
１４…線状導光体
１６…面状導光体
１８…反射コート膜
２０、２０ａ〜２０ｎ…光反射部
２２ａ〜２２ｃ…領域
２４…反射手段
１０８…液晶パネル
１１０…照明装置
１１２ａ、１１２ｂ…ＬＥＤ
１１４…線状導光体
１１６…面状導光体
１１８…反射コート膜
１２０…光反射部
２１０…ガラス基板
２１２…ガラス基板
２１４…偏向子
２１６…バスライン
２１８…ガラス基板
２２０…液晶
２２２…ガラス基板
２２４ａ、２２４ｂ、２２４ｃ…カラーフィルタ
２２６…ガラス基板
２２８…偏向子
２３０…ミラー
【図１】
2011029206.tif 000020
【図２】
2011029206.tif 000021
【図３】
2011029206.tif 000022
【図４】
2011029206.tif 000023
【図５】
2011029206.tif 000024
【図６】
2011029206.tif 000025
【図７】
2011029206.tif 000026
【図８】
2011029206.tif 000027
【図９】
2011029206.tif 000028
【図１０】
2011029206.tif 000029
【図１１】
2011029206.tif 000030
【図１２】
2011029206.tif 000031
【図１３】
2011029206.tif 000032
【図１４】
2011029206.tif 000033
【図１５】
2011029206.tif 000034
【図１６】
2011029206.tif 000035
【図１７】
2011029206.tif 000036
【図１８】
2011029206.tif 000037
【図１９】
2011029206.tif 000038
【図２０】
2011029206.tif 000039
【図２１】
2011029206.tif 000040
【図２２】
2011029206.tif 000041
【図２３】
2011029206.tif 000042
【図２４】
2011029206.tif 000043
【図２５】
2011029206.tif 000044
【図２６】
2011029206.tif 000045
【図２７】
2011029206.tif 000046
【図２８】
2011029206.tif 000047
【図２９】
2011029206.tif 000048
【図３０】
2011029206.tif 000049
【図３１】
2011029206.tif 000050
【図３２】
2011029206.tif 000051
【図３３】
2011029206.tif 000052
【手続補正書】
【提出日】平成22年10月29日(2010.10.29)
【手続補正１】
【補正対象書類名】特許請求の範囲
【補正対象項目名】全文
【補正方法】変更
【補正の内容】
【特許請求の範囲】
【請求項１】
光を発する光源と、前記光源から導入される光を反射側に形成された複数の光反射部により反射し、前記反射側と対向する出射側から光を線状に出射する線状導光体とを有する照明装置であって、
前記光源から発せられる光が、前記線状導光体の端部を介して、前記線状導光体内に導入され、
前記線状導光体の長手方向に対してほぼ垂直な方向に光が出射されるように、前記複数の光反射部の面が、前記光反射部の位置に応じた複数の異なる角度で、それぞれ傾斜しており、
前記線状導光体は、前記反射側が湾曲している
ことを特徴とする照明装置。
【請求項２】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、
前記光源から発せられる光が、前記線状導光体の端部を介して、前記線状導光体内に導入され、
前記面状導光体から出射される光が視認する者の目に収束されるように、前記複数の光反射部の面が、前記光反射部の位置に応じた複数の異なる角度で、それぞれ傾斜しており、
前記線状導光体は、前記反射側が湾曲している
ことを特徴とする照明装置。
【請求項３】
請求項１又は２記載の照明装置において、
一の前記光反射部の面の幅と他の前記光反射部の面の幅とが互いに異なっている
ことを特徴とする照明装置。
【請求項４】
請求項１乃至３のいずれか１項に記載の照明装置において、
前記複数の光反射部の各々は、交角が互いに等しいＶ字形の溝より成り、
前記Ｖ字形の溝の一方の面が、前記光反射部の面である
ことを特徴とする照明装置。
【請求項５】
光を発する光源と、前記光源から導入される光を反射側に形成された複数の光反射部により反射し、前記反射側と対向する出射側から光を線状に出射する線状導光体とを有する照明装置であって、
前記光源から発せられる光が、前記線状導光体の端部を介して、前記線状導光体内に導入され、
前記線状導光体の長手方向に対してほぼ垂直な方向に光が出射されるように、前記複数の光反射部の面が複数の異なる角度でそれぞれ傾斜しており、
前記線状導光体は長手方向に複数の領域に区分されており、
区分された前記領域内では、前記複数の光反射部の面が、等しい角度で傾斜している
ことを特徴とする照明装置。
【請求項６】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、
前記光源から発せられる光が、前記線状導光体の端部を介して、前記線状導光体内に導入され、
前記面状導光体から出射される光が視認する者の目に収束されるように、前記複数の光反射部の面が複数の異なる角度でそれぞれ傾斜しており、
前記線状導光体は長手方向に複数の領域に区分されており、
区分された前記領域内では、前記複数の光反射部の面が、等しい角度で傾斜している
ことを特徴とする照明装置。
【請求項７】
請求項５又は６記載の照明装置において、
前記線状導光体の中心を含む領域内と、前記線状導光体の端部の近傍の領域内とで、前記複数の光反射部の面が、互いに等しい角度で傾斜している
ことを特徴とする照明装置。
【請求項８】
請求項５又は６記載の照明装置において、
前記線状導光体の長手方向に区分された第１の領域では、前記光反射部の面が第１の角度で等しく傾斜しており、
前記第１の領域と隣接する第２の領域では、前記光反射部の面が前記第１の角度と異なる第２の角度で等しく傾斜しており、
前記第１の領域と前記第２の領域との境界の近傍の領域では、その面が前記第１の角度で傾斜している前記光反射部と、その面が前記第２の角度で傾斜している前記光反射部とが混在している
ことを特徴とする照明装置。
【請求項９】
光を発する光源と、前記光源から導入される光を反射側に形成された複数の光反射部により反射し、前記反射側と対向する出射側から光を線状に出射する線状導光体とを有する照明装置であって、
前記光源から発せられる光が、前記線状導光体の端部を介して、前記線状導光体内に導入され、
前記線状導光体の長手方向に対してほぼ垂直な方向に光が出射されるように、前記複数の光反射部の面が複数の異なる角度でそれぞれ傾斜しており、
前記線状導光体は長手方向と垂直な方向に複数の領域に区分されており、
区分された前記領域内では、前記複数の光反射部の面が、等しい角度で傾斜している
ことを特徴とする照明装置。
【請求項１０】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、
前記光源から発せられる光が、前記線状導光体の端部を介して、前記線状導光体内に導入され、
前記面状導光体から出射される光が視認する者の目に収束されるように、前記複数の光反射部の面が複数の異なる角度でそれぞれ傾斜しており、
前記線状導光体は長手方向と垂直な方向に複数の領域に区分されており、
区分された前記領域内では、前記複数の光反射部の面が、等しい角度で傾斜している
ことを特徴とする照明装置。
【請求項１１】
光を発する光源と、前記光源から導入される光を反射側に形成された複数の光反射部により反射し、前記反射側と対向する出射側から光を線状に出射する線状導光体とを有する照明装置であって、
前記光源から発せられる光が、前記線状導光体の端部を介して、前記線状導光体内に導入され、
前記線状導光体の長手方向に対してほぼ垂直な方向に光が出射されるように、前記複数の光反射部の面が、前記光反射部の位置に応じた複数の異なる角度で、それぞれ傾斜しており、
前記光反射部は、前記線状導光体の長手方向に対して斜めに延在している
ことを特徴とする照明装置。
【請求項１２】
光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、
前記光源から発せられる光が、前記線状導光体の端部を介して、前記線状導光体内に導入され、
前記面状導光体から出射される光が視認する者の目に収束されるように、前記複数の光反射部の面が、前記光反射部の位置に応じた複数の異なる角度で、それぞれ傾斜しており、
前記光反射部は、前記線状導光体の長手方向に対して斜めに延在している
ことを特徴とする照明装置。
【手続補正２】
【補正対象書類名】明細書
【補正対象項目名】０００４
【補正方法】変更
【補正の内容】
【０００４】
図２８（ａ）は、透過型液晶パネルを示す断面図である。図２８（ａ）に示すように、ガラス基板２１０とガラス基板２１２との間には、偏向子２１４が挟み込まれている。ガラス基板２１２上には、バスライン２１６等が形成されている。ガラス基板２１２とガラス基板２１８との間には、液晶２２０が封入されている。ガラス基板２１８とガラス基板２２２との間には、カラーフィルタ２２４ａ、２２４ｂ、２２４ｃが挟み込まれている。ガラス基板２２２とガラス基板２２６との間には、偏向子２２８が挟み込まれている。
【手続補正３】
【補正対象書類名】明細書
【補正対象項目名】０００５
【補正方法】変更
【補正の内容】
【０００５】
図２８（ｂ）は、反射型液晶パネルを示す断面図である。図２８（ｂ）に示すように、反射型液晶パネルでは、ガラス基板２１０とガラス基板２１２との間には、ミラー２３０が挟み込まれている。ミラー２３０は、反射型液晶パネルの上面から導入される光を、反射するためのものである。
【手続補正４】
【補正対象書類名】明細書
【補正対象項目名】０００９
【補正方法】変更
【補正の内容】
【０００９】
図２９は、提案されている照明装置を示す斜視図である。図２９に示すように、提案されている照明装置１１０は、光を発するＬＥＤ１１２ａ、１１２ｂと、ＬＥＤ１１２ａ、１１２ｂからの光を線状の光に変換して出射する線状導光体１１４と、線状導光体１１４から出射される線状の光を平面状の光に変換して出射する面状導光体１１６とを有している。線状導光体１１４の背面側、即ち、反射側には、複数の光反射部１２０がストライプ状に形成されている。また、線状導光体１１４の反射側には、反射コート膜１１８が形成されている。
【手続補正５】
【補正対象書類名】明細書
【補正対象項目名】００１８
【補正方法】変更
【補正の内容】
【００１８】
上記目的は、光を発する光源と、前記光源から導入される光を反射側に形成された複数の光反射部により反射し、前記反射側と対向する出射側から光を線状に出射する線状導光体とを有する照明装置であって、前記光源から発せられる光が、前記線状導光体の端部を介して、前記線状導光体内に導入され、前記線状導光体の長手方向に対してほぼ垂直な方向に光が出射されるように、前記複数の光反射部の面が、前記光反射部の位置に応じた複数の異なる角度で、それぞれ傾斜しており、前記線状導光体は、前記反射側が湾曲していることを特徴とする照明装置により達成される。
【手続補正６】
【補正対象書類名】明細書
【補正対象項目名】００１９
【補正方法】変更
【補正の内容】
【００１９】
また、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、前記光源から発せられる光が、前記線状導光体の端部を介して、前記線状導光体内に導入され、前記面状導光体から出射される光が視認する者の目に収束されるように、前記複数の光反射部の面が、前記光反射部の位置に応じた複数の異なる角度で、それぞれ傾斜しており、前記線状導光体は、前記反射側が湾曲していることを特徴とする照明装置により達成される。
また、上記目的は、光を発する光源と、前記光源から導入される光を反射側に形成された複数の光反射部により反射し、前記反射側と対向する出射側から光を線状に出射する線状導光体とを有する照明装置であって、前記光源から発せられる光が、前記線状導光体の端部を介して、前記線状導光体内に導入され、前記線状導光体の長手方向に対してほぼ垂直な方向に光が出射されるように、前記複数の光反射部の面が複数の異なる角度でそれぞれ傾斜しており、前記線状導光体は長手方向に複数の領域に区分されており、区分された前記領域内では、前記複数の光反射部の面が、等しい角度で傾斜していることを特徴とする照明装置により達成される。
また、上記目的は、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、前記光源から発せられる光が、前記線状導光体の端部を介して、前記線状導光体内に導入され、前記面状導光体から出射される光が視認する者の目に収束されるように、前記複数の光反射部の面が複数の異なる角度でそれぞれ傾斜しており、前記線状導光体は長手方向に複数の領域に区分されており、区分された前記領域内では、前記複数の光反射部の面が、等しい角度で傾斜していることを特徴とする照明装置により達成される。
また、上記目的は、光を発する光源と、前記光源から導入される光を反射側に形成された複数の光反射部により反射し、前記反射側と対向する出射側から光を線状に出射する線状導光体とを有する照明装置であって、前記光源から発せられる光が、前記線状導光体の端部を介して、前記線状導光体内に導入され、前記線状導光体の長手方向に対してほぼ垂直な方向に光が出射されるように、前記複数の光反射部の面が複数の異なる角度でそれぞれ傾斜しており、前記線状導光体は長手方向と垂直な方向に複数の領域に区分されており、区分された前記領域内では、前記複数の光反射部の面が、等しい角度で傾斜していることを特徴とする照明装置により達成される。
また、上記目的は、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、前記光源から発せられる光が、前記線状導光体の端部を介して、前記線状導光体内に導入され、前記面状導光体から出射される光が視認する者の目に収束されるように、前記複数の光反射部の面が複数の異なる角度でそれぞれ傾斜しており、前記線状導光体は長手方向と垂直な方向に複数の領域に区分されており、区分された前記領域内では、前記複数の光反射部の面が、等しい角度で傾斜していることを特徴とする照明装置により達成される。
また、上記目的は、光を発する光源と、前記光源から導入される光を反射側に形成された複数の光反射部により反射し、前記反射側と対向する出射側から光を線状に出射する線状導光体とを有する照明装置であって、前記光源から発せられる光が、前記線状導光体の端部を介して、前記線状導光体内に導入され、前記線状導光体の長手方向に対してほぼ垂直な方向に光が出射されるように、前記複数の光反射部の面が、前記光反射部の位置に応じた複数の異なる角度で、それぞれ傾斜しており、前記光反射部は、前記線状導光体の長手方向に対して斜めに延在していることを特徴とする照明装置により達成される。
また、上記目的は、光を発する光源と、前記光源から導入される光を反射側に形成された複数の光反射部により反射し、前記反射側と対向する出射側から光を線状に出射する線状導光体と、前記線状導光体と光学的に結合され、前記線状導光体から導入される光を平面状に出射する面状導光体とを有する照明装置であって、前記光源から発せられる光が、前記線状導光体の端部を介して、前記線状導光体内に導入され、前記面状導光体から出射される光が視認する者の目に収束されるように、前記複数の光反射部の面が、前記光反射部の位置に応じた複数の異なる角度で、それぞれ傾斜しており、前記光反射部は、前記線状導光体の長手方向に対して斜めに延在していることを特徴とする照明装置により達成される。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２９
【補正方法】変更
【補正の内容】
【００２９】
また、位置Ａと位置Ｃとの中間位置である位置Ｂに形成された光反射部１２０の面について、出射角を例えば１．５度として逆光線追跡により光の軌道を追跡してみたところ、軌道はＬＥＤ１１２ａの中心からずれた位置に到達した。
【手続補正１０】
【補正対象書類名】明細書
【補正対象項目名】００６０
【補正方法】変更
【補正の内容】
【００６０】
このように本実施形態による照明装置は、線状導光体１４から出射される光の出射位置に応じて、所望の出射角θＯＵＴ（ｎ）で光が出射されるように、光反射部２０の面の傾斜角θ（ｎ）が設定されていることに主な特徴がある。
【手続補正１１】
【補正対象書類名】明細書
【補正対象項目名】００６２
【補正方法】変更
【補正の内容】
【００６２】
これに対し、本実施形態では、線状導光体１４から出射される光の出射位置に応じて、所望の出射角θＯＵＴ（ｎ）で光が出射されるように、光反射部２０の面の傾斜角θ（ｎ）が設定されているため、視認する人間の目に光を収束することができる。このため本実施形態によれば、人間の目に到達し得る光の強度分布を均一化することができる。従って、本実施形態によれば、良好な表示特性を実現することができる。
【手続補正１２】
【補正対象書類名】明細書
【補正対象項目名】００７６
【補正方法】変更
【補正の内容】
【００７６】
本実施形態による照明装置は、いずれの光反射部２０ｃについても、ＬＥＤ１２ａ、１２ｂから直接光反射部２０ｃに入射される光が、光反射部２０ｃで全反射されて、線状導光体１４の出射側から出射されるように、光反射部２０ｃの面の傾斜角θ（ｎ）が設定されていることに主な特徴がある。